(57)【要約】【課題】簡単に清掃装置に堆積する塵埃を低減できる空気調和機を提供する。【解決手段】室内機１内に取り込まれる室内空気中の塵埃が堆積する構成部品から塵埃を吸引して除去する清掃装置２０を備えた空気調和機において、清掃装置２０は、複数のブレード２３を有して回転するファン２２と、ファン２２を収容して吸気口２１ａ及び排気口２１ｃを有するハウジング２１と、該構成部品に対向する吸込口を有して吸気口２１ａに接続される吸込経路２５とを有し、ブレード２３の回転面に沿って吸気口２１ａからハウジング２１内に気流を流入させるとともに、ブレード２３は吸気口２１ａから流入する気流に対する上流側の端縁２１ｂが径方向に延びる。【選択図】図７
2010107150.tif 000002
【特許請求の範囲】
【請求項１】
室内機内に取り込まれる室内空気中の塵埃が堆積する構成部品から塵埃を吸引して除去する清掃装置を備えた空気調和機において、前記清掃装置は、複数のブレードを有して回転するファンと、前記ファンを収容して吸気口及び排気口を有するハウジングと、前記構成部品に対向する吸込口を有して前記吸気口に接続される吸込経路とを有し、前記ブレードの回転面に沿って前記吸気口から前記ハウジング内に気流を流入させるとともに、前記ブレードは前記吸気口から流入する気流に対する上流側の端縁が径方向に延びることを特徴とする空気調和機。
【請求項２】
前記ファンが遠心ファンから成ることを特徴とする請求項１に記載の空気調和機。
【請求項３】
前記ブレードの前記端縁が前記ファンの回転面に略平行または内周側に対して外周側が前記吸気口から軸方向に離れることを特徴とする請求項１または請求項２に記載の空気調和機。
【請求項４】
前記ファンは回転中心に配されて前記吸気口に近接されるボスを有し、前記ブレードがボスの周面から前記吸気口の外縁まで延びて形成されることを特徴とする請求項１〜請求項３のいずれかに記載の空気調和機。
【請求項５】
前記ハウジングは前記ファンの軸上に円板を有して前記吸気口を環状に形成し、前記ブレードが前記吸気口の内縁から外縁まで延びて形成されることを特徴とする請求項１〜請求項３のいずれかに記載の空気調和機。
【請求項６】
前記ブレードは前記吸気口側と反対側の端面が環状のリングにより連結されることを特徴とする請求項４または請求項５に記載の空気調和機。
【請求項７】
前記構成部品が室内機内に取り込まれる室内の空気中の塵埃を捕集するフィルタから成ることを特徴とする請求項１〜請求項６のいずれかに記載の空気調和機。
【発明の詳細な説明】
【技術分野】
【０００１】
本発明は、吸気により室内機内の構成部品に付着して堆積する塵埃を清掃する清掃装置を備えた空気調和機に関する。
【背景技術】
【０００２】
従来の空気調和機は特許文献１に開示されている。この空気調和機は室内機の前面から上面にかけてのいずれかの領域に開口する開口部に塵埃を捕集するフィルタが配され、フィルタにより捕集された塵埃を清掃する清掃装置が設けられる。清掃装置は室内機の側部に配されるファンユニットを備え、ファンユニットには吸込ダクト及び排気ダクトが接続される。吸込みダクトは室内機の前部に横方向に延びて配され、フィルタの表面を移動するノズルが取り付けられる。
【０００３】
図１９はファンユニットの概略の側面断面図を示している。ファンユニット２０はハウジング２１内にファン２２が収納されている。ファン２２は底板２２ａをモータ軸２４ａに接続してファンモータ２４により回転駆動される。ファン２２は径方向に延びる複数のブレード２３が底板２２ａ上に所定間隔で環状に配列されたシロッコファンから成っている。
【０００４】
ハウジング２１にはファン２２の軸上に円形の吸気口２１ａが開口し、吸気口２１ａを覆うカバー２５ｄが取り付けられる。これにより、吸気口２１ａに吸い込み気流を導く吸気経路２５が形成される。ブレード２３は吸気口２１ａよりも外側に配され、吸気口２１ａから軸方向に流入した気流を径方向の外周側に導く。ハウジング２１の周面には排気ダクトに接続される排気口（不図示）が開口する。
【０００５】
清掃装置が駆動されるとファンモータ２４の駆動によってファン２２が回転し、吸込経路２５に吸込気流が発生する。フィルタに付着した塵埃はノズルから吸い込まれて矢印Ａ１に示すように吸込経路２５を流通し、吸気口２１ａからハウジング２１に流入する。ハウジング２１に流入した気流は矢印Ａ２、Ａ３に示すように外周方向に導かれ、排気口を介して排気ダクトを流通して排気とともに除去される。これにより、フィルタの清掃を自動化して空気調和機の利便性を向上することができる。
【０００６】
【特許文献１】特開２００８−７５６５８号公報（第４頁−第６頁、第５図）
【発明の開示】
【発明が解決しようとする課題】
【０００７】
しかしながら、上記従来の空気調和機によると、ブレード２３はハウジング２１内に流入する気流に対する上流側の端縁２３ａが軸方向に延びて形成される。このため、矢印Ａ２、Ａ３に示すようにハウジング２１内に流入して外周方向に導かれる気流とブレード２３の端縁２３ａとが略直交して衝突する。このため、気流に含まれる塵埃がブレード２３の端縁２３ａに押しつけられ、ブレード２３の端縁２３ａに引っ掛かりやすくなる。これにより、ブレード２３の端縁２３ａ及びブレード２３の根元部に塵埃が堆積しやすくなる。
【０００８】
特許文献１にはブレード２３の内周側に堆積した塵埃を脱落させるリブが設けられる。しかしながら、このリブではブレード２３とリブとの隙間を高精度に維持する必要があるため製造が困難になる問題がある。また、リブと底板２２ａとの間に隙間が形成されるためブレード２３の根元部に堆積した塵埃を脱落させることができない。このため、塵埃により根元付近のブレード２３の間隔が狭められるとともに堆積した塵埃が次第に成長してブレード２３間の隙間を埋めるため、吸引力が低下する問題があった。
【０００９】
特に、利便性を高めるために、清掃装置により取り除かれた塵埃は清掃装置内部の流路途中のいずれの場所においても除去させずにファン２２を経由して排気口を介して除去することが望まれる。このため、ブレード２３の端縁２３ａ及びブレード２３の根元部への塵埃の堆積はより顕著な問題となっていた。
【００１０】
本発明は、簡単に清掃装置に堆積する塵埃を低減できる空気調和機を提供することを目的とする。
【課題を解決するための手段】
【００１１】
上記目的を達成するために本発明は、室内機内に取り込まれる室内空気中の塵埃が堆積する構成部品から塵埃を吸引して除去する清掃装置を備えた空気調和機において、前記清掃装置は、複数のブレードを有して回転するファンと、前記ファンを収容して吸気口及び排気口を有するハウジングと、前記構成部品に対向する吸込口を有して前記吸気口に接続される吸込経路とを有し、前記ブレードの回転面に沿って前記吸気口から前記ハウジング内に気流を流入させるとともに、前記ブレードは前記吸気口から流入する気流に対する上流側の端縁が径方向に延びることを特徴としている。
【００１２】
この構成によると、ファンが回転すると吸込経路に吸込気流が発生し、室内機内の構成部品に付着した塵埃が吸込口を介して吸込経路に流入する。吸込経路を流通する気流は吸気口からファンの回転面に沿ってハウジング内に流入する。ハウジング内に流入した気流はブレードの径方向に延びた端縁と接触し、ファンの外周方向に導かれる。外周方向に導かれた気流は排気口を介して塵埃とともに排出される。
【００１３】
また本発明は、上記構成の空気調和機において、前記ファンが遠心ファンから成ることを特徴としている。この構成によると、吸込経路を流通する気流はファンの軸方向に開口する吸気口からファンの回転面に沿って流入して径方向に排出される。
【００１４】
また本発明は、上記構成の空気調和機において、前記ブレードの前記端縁が前記ファンの回転面に略平行または内周側に対して外周側が前記吸気口から軸方向に離れることを特徴としている。
【００１５】
また本発明は、上記構成の空気調和機において、前記ファンは回転中心に配されて前記吸気口に近接されるボスを有し、前記ブレードがボスの周面から前記吸気口の外縁まで延びて形成されることを特徴としている。この構成によると、ファンの回転面に沿って吸気口から流入する気流はボスの周面に配された複数のブレードの吸気口に面した端縁の間を通ってブレードの圧力面に導かれる。
【００１６】
また本発明は、上記構成の空気調和機において、前記ハウジングは前記ファンの軸上に円板を有して前記吸気口を環状に形成し、前記ブレードが前記吸気口の内縁から外縁まで延びて形成されることを特徴としている。この構成によると、ファンの回転面に沿って環状の吸気口から流入する気流は複数のブレードの吸気口に面した端縁の間を通ってブレードの圧力面に導かれる。
【００１７】
また本発明は、上記構成の空気調和機において、前記ブレードは前記吸気口側と反対側の端面が環状のリングにより連結されることを特徴としている。この構成によると、吸気口と反対側のハウジングの底面側でブレード間を塞がずにリングによりブレードが補強される。
【００１８】
また本発明は、上記構成の空気調和機において、前記構成部品が室内機内に取り込まれる室内の空気中の塵埃を捕集するフィルタから成ることを特徴としている。この構成によると、フィルタの清掃を自動化することができる。
【発明の効果】
【００１９】
本発明によると、ブレードの回転面に沿って吸気口からハウジング内に気流が流入し、ブレードは吸気口から流入する気流に対する上流側の端縁が径方向に延びるので、気流の進行方向とブレードの上流側の端縁との交差角度が小さくなる。このため、塵埃とブレードの端縁との衝突時の押圧力が低くなり、ブレードに付着する塵埃を低減することができる。加えて、ブレードの端縁に引っ掛かる塵埃が空気の流れ及び遠心力によって外周側に押し出され、ブレードに付着する塵埃がより低減される。従って、清掃装置のブレードの端縁及びブレード間に堆積する塵埃を容易に低減することができる。
【発明を実施するための最良の形態】
【００２０】
以下に本発明の実施形態を図面を参照して説明する。以下の図面において説明の便宜上、前述の図１９に示す従来例と同様の部分には同一の符号を付している。図１は第１実施形態の空気調和機の室内機の外装パネルを取り外した内部を示す斜視図である。室内機１は外装パネルの前面及び上面に設けられた室内の空気を取り込む開口部（不図示）に面して熱交換器３が配される。室内機１の下部には熱交換器３により熱交換された調和空気が送出される吹出口５が設けられる。吹出口５には風向を可変するルーバ（不図示）が配される。
【００２１】
熱交換器３の前方及び上方にはフィルタ２（図２参照）を設置するフィルタレール２ａが設けられる。室内機１の左側部にはフィルタ２（図２参照）により捕集された塵埃を除去する清掃装置１０のファンユニット２０が配される。清掃装置２０は吸込経路２５及び排気経路２８を備えている。吸込経路２５は室内機１の前部に配されて横方向に延びる前面部２５ａと室内機１の側面に配される側面部２５ｂとを有している。前面部２５ａは筒状のダクト２５ｃで覆われ、側面部２５ｂはカバー２５ｄで覆われる。
【００２２】
図２は吸込経路２５の前面部２５ａのダクト２５ｃ及び側面部２５ｂのカバー２５ｄ（図３参照）を取り外した状態を示している。外装パネルの開口部（不図示）と熱交換器３との間には塵埃を捕集するフィルタ２が配される。フィルタ２は室内機１の左側部に設けたフィルタ駆動モータ４によってフィルタレール２ａ上を上下方向に移動可能になっている。
【００２３】
吸込ダクト２５の前面部２５ａのダクト２５ｃ（図１参照）はフィルタ２に対向する吸込口（不図示）が形成され、内部には横方向に延びる回転ブラシ２７が配される。回転ブラシ２７は室内機１の右側部に設けたブラシモータ２６の駆動によって回転し、フィルタ２に捕集された塵埃を叩き出す。
【００２４】
図３は清掃装置１０のファンユニット２０の斜視図を示しており、図４はファンユニット２０のカバー２５ｄが取り外された状態を示している。ファンユニット２０はファン２２を収納するハウジング２１の鉛直面に円形に開口する吸気口２１ａが形成される。ハウジング２１はファン２２を囲む円筒状に形成され、周面から接線方向に向かって開口する排気口２１ｃ（図５参照）が設けられる。排気口２１ｃにダクト２８ａを接続して排気経路２８が形成される。
【００２５】
ハウジング２１には吸込経路２５の前面部２５ａ（図１参照）と側面部２５ｂとの連通口２５ｅが一体に形成される。連通口２５ｅに嵌合するダクト２５ｃ（図１参照）によって前面部２５ａが形成され、吸気口２１ａを覆うカバー２５ｄによって側面部２５ｂが形成される。
【００２６】
図５、図６はファン２２の斜視図及び平面図を示している。ファン２２はハウジング２１（図３参照）の底板２１ｂの背面に取り付けられたファンモータ２４（図７参照）により回転駆動される。ファン２２は中心部に配されるボス２２ｂの周面に多数のブレード２３が放射状に設けられたターボファンから成っている。ファン２２の回転軸方向を室内機１の横方向に配置して室内機１の横幅が大きくなることが抑制されている。
【００２７】
ボス２２ｂはファンモータ２４のモータ軸２４ａ（図７参照）を支持し、上流側の端面が吸気口２１ａ（図４参照）の近傍に配される。ブレード２３はボス２２ｂの周面から吸気口２１ａの外縁よりも外側に延び、圧力面２３ｃが回転面に対して垂直な曲面になっている。ブレード２３を平面により形成してもよい。また、ブレード２３は吸気口２１ａ側の端縁２３ｂがファン２２の回転面に対して略平行に形成され、底板２１ｂ側を環状のリング２２ｃにより連結して補強されている。
【００２８】
図７はファンユニット２０の概略側面断面図を示している。吸込経路２５の側面部２５ｂはファン２２の軸方向の幅Ｗが吸気口２１ａの直径に対して十分狭く、ハウジング２１の吸気口２１ａの開口面に沿って形成される。ブレード２３の吸気口２１ａ側の端縁２３ｂは吸気口２１ａに沿って吸気口２１ａ近傍に配される。
【００２９】
上記構成の空気調和機において、外装パネルの開口部から室内機１内に取り込まれた室内の空気はフィルタ２により塵埃が捕集される。塵埃が除去された空気は熱交換器３と熱交換して吹出口５から室内に送出される。これにより、室内の空気調和が行われる。
【００３０】
清掃装置１０の駆動が指示されると、フィルタ駆動モータ４、ブラシモータ２６及びファンモータ２４が駆動される。フィルタ駆動モータ４の駆動によってフィルタ２がフィルタレール２ａ上を上下方向に移動する。ブラシモータ２６の駆動により回転ブラシ２７が回転し、上下移動するフィルタ２に捕集された塵埃が回転ブラシ２７によって叩き出される。ファンモータ２４の駆動によってファン２２が回転し、吸込経路２５に吸込気流が発生する。
【００３１】
これにより、フィルタ２に付着した塵埃は気流とともにダクト２５ｃの吸込口から吸い込まれて矢印Ｂ１（図１参照）に示すように吸込経路２５の前面部２５ａを流通する。前面部２５ａを流通する気流は幅Ｗの狭い側面部２５ｂを矢印Ｂ２（図７参照）に示すように流通し、矢印Ｂ３に示すように吸気口２１ａからファン２２の回転面に沿ってハウジング２１内に流入する。また、一部の気流は吸気口２１ａ近傍で屈曲し、矢印Ｂ４に示すように反転してハウジング２１内に流入する。
【００３２】
この時、ブレード２３は吸気口２１ａから矢印Ｂ３に示すように流入する気流に対して上流側の端縁２３ｂが回転面に平行に配されて径方向に延びる。このため、ハウジング２１に流入する気流がブレード２３に対して小さい交差角度で接触する。これにより、気流に含まれる塵埃とブレード２３の端縁２３ｂとの衝突時の押圧力を低くすることができ、ブレード２３に付着する塵埃が低減される。
【００３３】
また、気流が径方向に進行するためブレード２３の端縁２３ｂに引っ掛かる塵埃が外周側に押し出される。加えて、ブレード２３の遠心力によって端縁２３ｂに引っ掛かる塵埃が外周側に押し出される。このため、ブレード２３に付着する塵埃が更に低減される。
【００３４】
ハウジング２１内に流入した気流は外周方向に導かれ、排気口２１ｃを介して排気経路２８を流通して塵埃とともに屋外に排出される。これにより、フィルタ２の清掃が自動化される。
【００３５】
本実施形態によると、ファン２２の回転面に沿って吸気口２１ａからハウジング２１内に気流が流入し、ブレード２３は吸気口２１ａから流入する気流に対する上流側の端縁２３ｂが径方向に延びるので、気流の進行方向とブレード２３の端縁２３ｂとの交差角度が小さくなる。このため、塵埃とブレード２３の端縁２３ｂとの衝突時の押圧力が低くなり、ブレード２３に付着する塵埃を低減することができる。加えて、ブレード２３の端縁２３ｂに引っ掛かる塵埃が空気の流れ及び遠心力によって外周側に押し出され、ブレード２３に付着する塵埃がより低減される。従って、清掃装置１０のブレード２３の端縁２３ｂ及びブレード２３間に堆積する塵埃を容易に低減することができる。
【００３６】
また、ファン２がターボファンから成るので、ハウジング２１に流入した気流を容易に排気口２１ｃが形成される外周方向に流通させることができる。従って、塵埃の堆積を容易に低減することができる。尚、ターボファンに限られず、ラジアルファン等の遠心ファンであれば同様の効果を得ることができる。しかしながら、ファン２をターボファンにより形成すると、静圧が高いためブレード２３の枚数を少なくすることができる。このため、ブレード２３間に堆積する塵埃をより低減することができる。また、ターボファンはシロッコファンよりも同一風量を送風する際の回転数がより高くなる。このため、遠心力をより高めることができるのでブレード２３に付着する塵埃を低減することができる。
【００３７】
また、ファン２２は吸気口２１ｃに近接されるボス２２ｂが回転中心に配され、ブレード２３がボス２２ｂの周面から吸気口２１ａの外縁よりも外側まで延びて形成されるので、ブレード２３は回転面に対して略平行な端縁２３ｂが吸気口２１ａから流入した気流に対して上流側となる。これにより、気流とブレード２３の上流側の端縁（端縁２３ｂ）との交差角度を容易に小さくすることができる。尚、ブレード２３は少なくとも吸気口２１ａの外縁まで延びていればよい。
【００３８】
また、ブレード２３の吸気口２１ａと反対側の底板２１ｂ側は環状のリング２２ｃにより連結され、補強される。板状のディスク等の支持部材によってブレード２３の底板２１ｂ側を連結して補強してもよい。しかしながら、板状の支持部材を用いると支持部材によってハウジング２１内が吸気口２１ａ側と底板２１ｂ側とに軸方向に隔離される。このため、モータ軸２４ａの軸方向の遊びが大きいファンモータ２４を用いると、吸気口２１ａ側と底板２１ｂ側との静圧の差によってファン２２が吸気口２１ａ側に押し寄せられる。これにより、ブレード２３の上流側の端縁２３ｂがハウジング２１と擦れあう原因となる。
【００３９】
このため、ブレード２３の底板２１ｂ側をリング２２ｃで連結することにより、吸気口２１ａと反対側でブレード２３間を塞がずに広い開口面積の開口部を形成することができる。これにより、ブレード２３とハウジング２１との摺動を防止することができる。加えて、ブレード２３間に堆積する塵埃が該開口部から流出しやすくなり、塵埃によるブレード２３間の閉塞を防止できる。
【００４０】
本実施形態の構成をまとめると次の通りである。
（１）吸気口２１ｃに流入する気流が回転面に沿い、流入方向と回転軸とが略垂直。
（２）ブレード２３の上流側の端縁２３ｂと回転軸とが側面から視て略垂直。
（３）吸気口２１ｃに流入する気流の流入方向とブレード２３の端縁２３ｂとが側面から視て略平行。
（４）ブレード２３が回転面に垂直に設けられ、上流側の端部が回転方向の前方に向かって傾斜しない。
【００４１】
次に、第２実施形態の空気調和機について説明する。図８は本実施形態の空気調和機の清掃装置１０のファンユニット２０を示す概略側面断面図である。説明の便宜上、前述の図１〜図７に示す第１実施形態と同様の部分は同一の符号を付している。本実施形態の空気調和機は第１実施形態に対して清掃装置１０のブレード２３の形状が異なっている。その他の部分は第１実施形態と同様である。
【００４２】
ファン２２のブレード２３はボス２２ｂの周面から吸気口２１ａの外縁よりも外側に延び、圧力面２３ｃが回転面に対して垂直な曲面になっている。ブレード２３は吸気口２１ａの外縁まで形成すればよく、ブレード２３を平面により形成してもよい。また、ブレード２３は吸気口２１ａ側の端縁２３ｂが吸気口２１ａから流入する気流に対して上流側となり、内周側に対して外周側が吸気口２１ａから軸方向に離れて傾斜する。
【００４３】
吸気口２１ａから矢印Ｂ３に示すように流入する気流に対してブレード２３は上流側の端縁２３ｂが回転面に対して外周側が離れるように傾斜して径方向に延びる。このため、ハウジング２１に流入する気流がブレード２３に対して第１実施形態よりも更に小さい交差角度で接触する。従って、ブレード２３に堆積する塵埃をより低減することができる。
【００４４】
尚、ブレード２３の端縁２３ｂが内周側に対して外周側が吸気口２１ａから軸方向に近づくように傾斜してもよい。これにより、端縁２３ｂが径方向に延びることによって、気流との交差角度を第１、第２実施形態よりも大きいが従来よりも小さくして塵埃の堆積を低減することができる。
【００４５】
本実施形態の構成をまとめると次の通りである。
（１）吸気口２１ｃに流入する気流が回転面に沿い、流入方向と回転軸とが略垂直。
（２）ブレード２３の上流側の端縁２３ｂと回転軸とが側面から視て外周側が吸気口２１ｃから軸方向に離れるように傾斜。
（３）吸気口２１ｃに流入する気流がブレード２３の端縁２３ｂに沿って流通。
（４）ブレード２３が回転面に垂直に設けられ、上流側の端部が回転方向の前方に向かって傾斜しない。
【００４６】
次に、第３実施形態の空気調和機について説明する。図９は本実施形態の空気調和機の清掃装置１０のファンユニット２０を示す概略側面断面図である。説明の便宜上、前述の図１〜図７に示す第１実施形態と同様の部分は同一の符号を付している。本実施形態の空気調和機は第１実施形態に対して清掃装置１０のファン２２及び吸気口２１ａの形状が異なっている。その他の部分は第１実施形態と同様である。
【００４７】
本実施形態のファンユニット２０のハウジング２１はファン２２の軸上に円板２１ｄが設けられ、吸気口２１ａが環状に形成される。また、ファン２２は遠心ファンから成り、回転面に対して垂直なブレード２３が底板２２ａ上に設けられる。ブレード２３の内周側の端縁２３ａは吸気口２１ａの内縁よりも内側に配され、吸気口２１ａからの気流と接触しない。
【００４８】
ブレード２３の吸気口２１ａに面した端縁２３ｂはファン２２の回転面に対して略平行に径方向に延びて形成される。これにより、端縁２３ｂは吸気口２１ａの内縁から外縁まで延びて形成される。従って、ブレード２３は端縁２３ｂが吸込口２１ａから流入する気流に対する上流側となる。
【００４９】
本実施形態によると、第１実施形態と同様に、気流の進行方向とブレード２３の上流側の端縁２３ｂとの交差角度が小さくなる。従って、清掃装置２０のブレード２３の端縁２３ｂ及びブレード２３間に堆積する塵埃を容易に低減することができる。尚、ブレード２３の端縁２３ｂを第２実施形態と同様に傾斜してもよい。
【００５０】
本実施形態の構成をまとめると次の通りである。
（１）吸気口２１ｃに流入する気流が回転面に沿い、流入方向と回転軸とが略垂直。
（２）ブレード２３の上流側の端縁２３ｂと回転軸とが側面から視て略垂直。
（３）吸気口２１ｃに流入する気流の流入方向とブレード２３の端縁２３ｂとが側面から視て略平行。
（４）ブレード２３が回転面に垂直に設けられ、上流側の端部が回転方向の前方に向かって傾斜しない。
【００５１】
次に、第４実施形態の空気調和機について説明する。図１０、図１１は本実施形態の空気調和機の清掃装置１０のファン２２を示す概略斜視図及び概略側面図である。説明の便宜上、前述の図１〜図７に示す第１実施形態と同様の部分は同一の符号を付している。尚、図１０、図１１においてブレード２３の形状を明確に表すためにブレード２３を１枚のみ図示しており、本来存在する他の複数枚のブレード２３については省略している。本実施形態の空気調和機は第１実施形態に対して清掃装置１０のブレード２３の形状が異なっている。その他の部分は第１実施形態と同様である。
【００５２】
ファン２２のブレード２３はボス２２ｂの周面から外側に延びるとともに、回転面に対して傾斜した曲面になっている。ブレード２３の傾斜方向は吸込口２１ｃ側が回転方向Ｒの後方で底面２１ｂ側が回転方向Ｒの前方になっている。このため、図１１に示すように、ブレード２３の吸込側の端部の傾斜方向Ｄと、ブレード２３の回転方向Ｒとの成す角度αが鈍角を成す。これにより、気流に乗って流れ込んできた塵埃が端縁２３ｂに衝突した際に、ブレード２３の吸込側の端部の傾斜方向Ｄは回転方向Ｒに対していわゆる逃げる方向に向いている。このため、塵埃が端縁２３ｂに押し付けられない。
【００５３】
従って、本実施形態によると、第１実施形態と同様の効果を得ることができるとともに、ファン２２の回転に起因する塵埃とブレード２３の端縁２３ｂとの衝突時の押圧力を低くできる。従って、ブレード２３に付着する塵埃をより低減することができる。
【００５４】
尚、本実施形態のブレード形状は図１０、図１１の形状に限られない。例えば図１２に示すように、平面状のブレード２３を吸込口２１ｃ側が回転方向Ｒの後方で底面２１ｂ側が回転方向Ｒの前方になるように傾斜してもよい。図１３に示すように、ブレード２３の端縁２３ｂ近傍のみを傾斜していてもよい。また、図１４に示すように端縁２３ｂ側の圧力面２３ｃを面取り２３ｄの形成により傾斜してもよい。
【００５５】
本実施形態の構成をまとめると次の通りである。
（１）吸気口２１ｃに流入する気流が回転面に沿い、流入方向と回転軸とが略垂直。
（２）ブレード２３の上流側の端縁２３ｂと回転軸とが側面から視て略垂直。
（３）吸気口２１ｃに流入する気流の流入方向とブレード２３の端縁２３ｂとが側面から視て略平行。
（４）ブレード２３の上流側の端部が回転方向の後方に向かって傾斜。
【００５６】
第１〜第４実施形態において、塵埃の排出場所を屋外としているが、これに限定されない。例えば、屋外に面した壁を有しない部屋に設置された室内機１においては、排気経路２８を室外へ導くことが困難な場合もある。このため、室内に配置されたダストボックスに向けて排気口２１ｃを経由して塵埃を排出してもよい。これにより、フィルタ２の定期的な清掃の手間を軽減することができる。ダストボックスを室内機１内に設けると、外観上の美観及び設置スペースの面で良好であるためより望ましい。
【００５７】
また、清掃装置１０はフィルタ２により捕集して堆積した塵埃の除去を対象としているが、これに限られない。清掃装置１０によって外装パネル、熱交換器３、調和空気を送風する送風ファン、ルーバ等の調和空気の流通経路に配される構成部品の清掃を行ってもよい。フィルタ２や外装パネルに付着する塵埃は室内に存在する油分を多く吸着し、熱交換器３、送風ファン、ルーバ等に付着する塵埃は冷房時には特に結露水による水分を多く含む。このため、いずれの場合においても清掃装置１０のファン２２のブレード２３への付着が起こりやすい。これらの場合も上記各実施形態と同様の清掃装置１０により、ブレード２３に付着する塵埃を低減することができる。
【００５８】
また、ファン２２は遠心ファンだけでなく軸流ファンや斜流ファンにより形成してもよい。この場合も上記と同様に、吸気口２１ａから流入した気流が接触するブレード２３の上流側の端縁が径方向に延びることにより、塵埃の堆積を低減することができる。
【００５９】
尚、以下に示すように、吸気口２１ｃから流入する気流の方向に拘わらず、ブレード２３の配置によって塵埃の堆積を低減することが可能である。図１５は第１〜第３実施形態と同様の配置を含むブレード２３の断面図を示しており、図１６は第４実施形態（図１２）と同様の配置を含むブレード２３の断面図を示している。これらの図において、遠心ファンに限られず、軸流ファンや斜流ファンにおけるブレード２３の配置も含まれる。また、図１７、図１８は比較例のブレード２３の配置を示す断面図である。
【００６０】
図１５は、ブレード２３の回転によって圧力面２３ｃに受けるラム圧とブレード２３に加わる遠心力との合力Ｆの方向と、ブレード２３の上流側の端縁２３ｅ（図７〜図９の２３ｂに相当）から圧力面２３ｃが延びる方向Ｅとの角度θが９０゜になっている。図１６は、同合力Ｆの方向と、ブレード２３の上流側の端縁２３ｅ（図１２の２３ｂに相当）から圧力面２３ｃが延びる方向Ｅとの角度θが鈍角になっている。
【００６１】
図１７は前述の図１９に示す従来例と同様のブレード２３を含み、ブレード２３の上流側の端縁２３ｅが図１９の２３ａに相当し、同角度θが鋭角になっている。図１８は同角度θが鋭角になっている。
【００６２】
比較例に示すように角度θが鋭角になると、端縁２３ｅが受けるラム圧及び遠心力は正圧（塵埃が端縁２３ｅに押し付けられる向きの力）になる。このため、端縁２３ｅに塵埃が堆積しやすくなる。これに対して、角度θを９０゜以上（図１５、図１６）にすることにより、ブレード２３の上流側の端縁２３ｅが受けるラム圧及び遠心力が０若しくは負圧（塵埃が端縁２３ｅからはがし取られる向きの力）になる。従って、気流の流速による押圧力が端縁２３ｅに加わったとしても端縁２３ｅに堆積する塵埃を低減することができる。
【００６３】
気流の流速を考慮した場合は、ファン２２が遠心ファンである場合には吸気口２１ｃに流入する気流はファン２２の回転軸に対してできるだけ直角に近い方が有利となる。言い換えれば、ブレード２３の回転面に対してできるだけ小さな角度とすることが好ましい。このためには、ダクト（側面部２５ｄ）から流入する気流のファン軸方向の高さを抑えることが必要である。また、ファン２２が斜流ファンや軸流ファンから成る場合はこのような制限をなくすことが可能となる。
【産業上の利用可能性】
【００６４】
本実施形態によると、フィルタを清掃する清掃装置を備えた空気調和機に利用することができる。
【図面の簡単な説明】
【００６５】
【図１】本発明の第１実施形態の空気調和機の内部を示す斜視図
【図２】本発明の第１実施形態の空気調和機の内部を示す斜視図
【図３】本発明の第１実施形態の空気調和機の清掃装置のファンユニットを示す斜視図
【図４】本発明の第１実施形態の空気調和機の清掃装置のファンユニットを示す斜視図
【図５】本発明の第１実施形態の空気調和機の清掃装置のファンを示す斜視図
【図６】本発明の第１実施形態の空気調和機の清掃装置のファンを示す平面図
【図７】本発明の第１実施形態の空気調和機の清掃装置のファンユニットを示す概略側面断面図
【図８】本発明の第２実施形態の空気調和機の清掃装置のファンユニットを示す概略側面断面図
【図９】本発明の第３実施形態の空気調和機の清掃装置のファンユニットを示す概略側面断面図
【図１０】本発明の第４実施形態の空気調和機の清掃装置のファンを示す斜視図
【図１１】本発明の第４実施形態の空気調和機の清掃装置のファンを示す側面図
【図１２】本発明の第４実施形態の空気調和機の清掃装置のファンの他の形状を示す側面図
【図１３】本発明の第４実施形態の空気調和機の清掃装置のファンの他の形状を示す側面図
【図１４】本発明の第４実施形態の空気調和機の清掃装置のファンの他の形状を示す側面図
【図１５】本発明の空気調和機の清掃装置のブレードの配置を説明する断面図
【図１６】本発明の空気調和機の清掃装置のブレードの配置を説明する断面図
【図１７】本発明の比較例の空気調和機の清掃装置のブレードの配置を説明する断面図
【図１８】本発明の比較例の空気調和機の清掃装置のブレードの配置を説明する断面図
【図１９】従来の空気調和機の清掃装置のファンユニットを示す概略側面断面図
【符号の説明】
【００６６】
１    室内機
２    フィルタ
３    熱交換器
４    フィルタ駆動モータ
５    吹出口
６    ルーバ
１０    清掃装置
２０    ファンユニット
２１    ハウジング
２１ａ  吸気口
２１ｂ  底板
２１ｃ  排気口
２２    ファン
２２ｂ  ボス
２３    ブレード
２３ａ、２３ｂ、２３ｅ  端縁
２３ｃ  圧力面
２４    ファンモータ
２５    吸込経路
２５ａ  前面部
２５ｂ  側面部
２６    ブラシモータ
２７    回転ブラシ
２８    排気経路
【図１】
2010107150.tif 000003
【図２】
2010107150.tif 000004
【図３】
2010107150.tif 000005
【図４】
2010107150.tif 000006
【図５】
2010107150.tif 000007
【図６】
2010107150.tif 000008
【図７】
2010107150.tif 000009
【図８】
2010107150.tif 000010
【図９】
2010107150.tif 000011
【図１０】
2010107150.tif 000012
【図１１】
2010107150.tif 000013
【図１２】
2010107150.tif 000014
【図１３】
2010107150.tif 000015
【図１４】
2010107150.tif 000016
【図１５】
2010107150.tif 000017
【図１６】
2010107150.tif 000018
【図１７】
2010107150.tif 000019
【図１８】
2010107150.tif 000020
【図１９】
2010107150.tif 000021